(57)【要約】【課題】  本発明は、オフセット印刷用として好適であり、且つ環境への悪影響が少ない乳化剤を含有し、インキの乳化量を印刷条件やインキの種類に合わせて広範に調節することが可能な平版オフセット印刷用インキを提供することを課題とする。【解決手段】  オフセット印刷用インキの乳化適性の一つである乳化量を制御するための助剤（乳化剤）としてポリエーテルポリオールを含有する平版オフセット印刷用インキ。前記のポリエーテルポリオールとしては単官能及びまたは多官能であるものが好ましい。またその分子量は２００以上が好ましく、インキ中の含有量は０．０１〜５．０質量％が好ましい。【選択図】          なし【特許請求の範囲】
【請求項１】
ポリエーテルポリオールを含有する平版オフセット印刷用インキ。
【請求項２】
ポリエーテルポリオールが１分子中に水酸基を２〜６個有する請求項１に記載の平版オフセット印刷用インキ。
【請求項３】
ポリエーテルポリオールの分子量が２００以上である請求項１に記載の平版オフセット印刷用インキ。
【請求項４】
ポリエーテルポリオールのインキ中の含有量が０．０１〜５．０質量％である請求項１に記載の平版オフセット印刷用インキ。
【発明の詳細な説明】
【技術分野】
【０００１】
本発明はポリエーテルポリオールを含有し、印刷インキの乳化量を調整して乳化適性の最適化を図ることができる平版オフセット印刷用インキに関する。
【背景技術】
【０００２】
平版オフセット印刷は、水と油が反発しあうことを利用した印刷方式である。親油性である画線部と親水性である非画線部とからなる印刷版へ湿し水と印刷インキとが供給され、湿し水は親水性の非画線部に付着する。湿し水の付着した非画線部は油性であるインキを反発するので、インキは画線部のみに付着し、このインキはブランケットに転写された後に紙等の被印刷物に転写され、画像が形成される。
印刷版やローラー等の印刷機上ではインキと水とが共存しており、インキが適度の乳化適性を持つように制御することが、高品質で安定したオフセット印刷を行うために重要である。
【０００３】
インキの乳化量を調整する手段として、ポリオキシエチレンアルキルフェニルエーテル等の乳化剤が使用されている（特許文献１および２）。しかしこれらの乳化剤の原料として広く用いられているノニルフェノールに環境ホルモンとしての悪影響が懸念されるようになり、それらの問題が無い乳化剤が要望されている。
【特許文献１】特開平１１−３４９８８０号公報
【特許文献２】特開２０００−１６４３号公報
【発明の開示】
【発明が解決しようとする課題】
【０００４】
本発明は、平版オフセット印刷用として好適であり、且つ上記の環境への悪影響が少ない乳化剤を含有し、インキの乳化適性を印刷条件やインキの種類に合わせて広範に調節することが可能な平版オフセット印刷用インキを提供することを課題とする。
【課題を解決するための手段】
【０００５】
本発明者らは、上記の課題を解決すべく鋭意研究を重ねた結果、ポリエーテルポリオールをインキに含有させることにより、種々のインキタイプ及び印刷条件においてインキの乳化量および乳化適性を広範かつ最適に調整できることを見出し、本研究を完成するに至った。
【０００６】
即ち本発明の構成は、オフセット印刷用インキの乳化適性の一つである乳化量を制御するための助剤（乳化剤）を含有するインキに関するものであって、その助剤がポリエーテルポリオールである平版オフセット印刷用インキである。
【０００７】
本発明は、前記したポリエーテルポリオールが単官能及びまたは多官能であるオフセット印刷用インキを含む。
本発明は、前記したインキであって、ポリエーテルポリオールの分子量が２００以上であるオフセット印刷用インキを含む。
本発明は、更に前記したインキであって、ポリエーテルポリオールのインキ中の含有量が０．０１〜５．０質量％であるオフセット印刷用インキを含む。
【発明の効果】
【０００８】
本発明のインキは、印刷条件やインキ品種に応じてインキの乳化適性を広範に調節し、最適化することができる。またノニルフェノール等の環境ホルモンとしての悪影響が懸念される物質を含有しない。
【発明を実施するための最良の形態】
【０００９】
本発明のインキは、未反応のオクチルフェノールやノニルフェノールなどの、アルキル基の炭素数が５〜９のアルキルフェノール及びビスフェノールＡを含まない。言い換えれば、内分泌攪乱物質（環境ホルモン）と疑われている物質を含まない。
【００１０】
即ち、平版オフセット印刷用インキの乳化量を制御するための助剤としてアルキル基の炭素数が５〜９のアルキルフェノールとビスフェノールＡを原料とするものを除いたポリエーテルポリオールをインキ成分の一つにすることを特徴とする。
【００１１】
前記のポリエーテルポリオールの合成は公知の方法に従って行うことができる。
例えば、メチルアルコール、エチルアルコールのような一般式ＣｎＨ２n+１ＯＨで表されるアルキルアルコール類とアリルアルコール、シクロヘキサノール、ベンジルアルコール、メチルセロソルブ、エチルセロソルブ、ブチルセロソルブ、カルビトール、ブチルカルビトール、メトキシプロパノール、３−メチル３−メトキシブタノール、アクリロイル基またはα−アルキルアクリロイル基を有するヒドロキシ化合物、例えば２−ヒドロキシエチル（メタ）アクリレート、２−ヒドロキシプロピル（メタ）アクリレート等の１価アルコール類、エチレングリコール、プロピレングリコール、ジエチレングリコール、トリエチレングリコール、ネオペンチルグリコール、１，６−ヘキサンジオール、グリセリン、トリメチロールエタン、トリメチロールプロパン、１，３，６−ヘキサントリオール、ペンタエリスリトール、ソルビトール、シュークロス等の多価アルコール類、及び／又はこれらのヒドロキシ化合物にアルキレンオキサイドを付加重合することにより得られる。
【００１２】
また、メチルアミン、エチルアミンのような一般式ＣｎＨ２n+１ＮＨ２で表示されるモノアルキルアミン類、ジメチルアミン、ジエチルアミンのような一般式（ＣｎＨ２n+１）２ＮＨで表示されるジアルキルアミン類、モノエタノールアミン、ジメチルエタノールアミン、２−アミノ２−メチルプロパノール、ジエタノールアミン、トリエタノールアミン等のアルカノールアミン類、エチレンジアミン、トリメチレンジアミン、テトラメチレンジアミンのような一般式Ｈ２Ｎ（ＣｎＨ２ｎ）ＮＨ２で表されるアルキレンジアミン類、ジエチレントリアミン、トリエチレンテトラミン、トルエンジアミン、アニリン、アリルアミン等活性水素を１個以上含有する化合物及び／またはこれらのアミン類にアルキレンオキサイドを付加重合させて得られる。
【００１３】
本発明のポリエーテルポリオールは１分子中に官能基（水酸基）を１個以上含有していても構わないが、商業的な入手しやすさから２〜６個（官能）を有するものが好ましい。
本発明のポリエーテルポリオールの分子量は２００以上が好ましいが、低添加量域で乳化量変化が少ないという意味で３００〜２，０００が更に好ましい。
本発明のポリエーテルポリオールの添加量は０．０１〜５．０％が好ましいが、あまりにも添加量が少ないと効果が得られないし、５．０％以上だとインキの過乳化または乳化量低下を招くので好ましくない。工業的に利用できる好ましい範囲は０．０５〜２．０％である。
本発明のポリエーテルポリオールは単独で使用してもいいし、複数の種類を併用してもよい。
【００１４】
ポリエーテルポリオールとしては、アルキル基の炭素数が５〜９のアルキルフェノールとビスフェノールＡ、即ち内分泌攪乱物質と疑われている物質を原料とするものを除いて、市販されている製品を用いることができる。単独で使用することもできるし、多種類を併用してもよい。また、他の助剤と併用しても何ら差し支えない。印刷インキへの添加方法はインキ中の各原料の一成分として最初から添加し練肉・分散工程を行ってもよいし、練肉・分散工程が終わってから添加してもよい。
【実施例】
【００１５】
以下に実施例により本発明を具体的に説明する。尚、本明細書において特記しない限り、部若しくは％は質量基準である。
【００１６】
【表１】
2008007592.tif 000002
【００１７】
表１に実施例及び比較例で使用するインキ配合を示す。表１のワニスは２２０℃で１時間クッキングして作る。
【００１８】
表１の配合でよく撹拌したベースを３本ロールミルにより練肉してインキを得た。インキ全量は５００ｇとした。このインキ１００質量部に旭硝子株式会社製のポリエーテルポリオール化合物であるＥＸＣＥＮＯＬ３０３０（分子量３，０００、官能基数３）を３．０質量部添加し、Ｔ．Ｋ．ホモディスパー（プライミクス株式会社製の撹拌機）にて５，０００±１００ｒｐｍで１０分間撹拌し、ポリエーテルポリオールを含んだ実施例１のインキを得た。
【００１９】
表１のインキ配合１００質量部に前述したＥＸＣＥＮＯＬ３０３０を３．０質量部加え、３本ロールミルにより練肉してポリエーテルポリオールを含んだ実施例２のインキを得た。
【００２０】
表１のインキ配合１００質量部に、大日本インキ化学工業株式会社製のポリエーテルポリオール化合物であるハイプロックスＲＴ−４００（分子量４００、官能基数３）を０．３質量部添加し、３本ロールミルにより練肉してポリエーテルポリオールを含んだ実施例３のインキを得た。
【００２１】
表１のインキ配合１００質量部に、大日本インキ化学工業株式会社製のポリエーテルポリオール化合物であるハイプロックスＲＱ−３００（分子量３００、官能基数４）を０．１質量部添加し、３本ロールミルにより練肉してポリエーテルポリオールを含んだ実施例４のインキを得た。
【００２２】
表１のインキ配合１００質量部に、旭硝子株式会社製のポリエーテルポリオール化合物であるＥＸＣＥＮＯＬ１０２０（分子量１，０００、官能基数２）を０．０５質量部及びＥＸＣＥＮＯＬ５０３０（分子量５，１００、官能基数３）を０．２質量部添加し、３本ロールミルにより練肉してポリエーテルポリオールを含んだ実施例５のインキを得た。
【００２３】
表１のインキ配合１００質量部に、大日本インキ化学工業株式会社製のポリエーテルポリオール化合物であるハイプロックスＲＨ−８００（分子量８００、官能基数６）を０．５質量部添加し、３本ロールミルにより練肉してポリエーテルポリオールを含んだ実施例６のインキを得た。
【００２４】
表１のインキ配合１００質量部に、旭硝子株式会社製のポリエーテルポリオール化合物であるＥＸＣＥＮＯＬ８３７（分子量６，０００、官能基数３）を０．０５質量部添加し、Ｔ．Ｋ．ホモディスパーにて５，０００±１００ｒｐｍで１０分間撹拌しポリエーテルポリオールを含んだ実施例７のインキを得た。
【００２５】
１００℃のオートクレーブ中、ｎ−ブタノール１モルと水酸化カリウム５ｇの存在下において、プロピレンオキサイド１６モルを滴下し、無機系アルカリ吸着剤処理してから分子量約１，０００のポリエーテルポリオールを合成した。この０．１質量部をあらかじめ３本ロールミルで練肉しておいた表１のインキ１００質量部に加え、３本ロールミルで混練しポリエーテルポリオールを含んだ実施例８のインキを得た。
【００２６】
表１のインキ配合により、３本ロールミルにより練肉して比較例１のインキを得た。
【００２７】
表１のインキ１００質量部を３本ロールミルで練肉し、グリセリン０．２質量部を加え同じく３本ロールミルにより混練して比較例２のインキを得た。
【００２８】
乳化量の測定は、できたインキを２４時間静置した後に行う。試料５０ｇを取り、Ｔ．Ｋ．ホモミクサー（プライミクス株式会社製の撹拌機）を用いて５，０００ｒｐｍで撹拌しながら水道水を滴下する。初めのうちは、撹拌によって水はインキ中に均一に混入していくが、一定の限度を超えると、水はインキ中に均一に入らなくなり、余剰の水は分離して飛散する。この時点の水の滴下量（ｃｃ）を乳化量とする。表２に実施例及び比較例のインキの乳化量の測定結果を示す。
【００２９】
【表２】
2008007592.tif 000003
【００３０】
表２の実施例１〜８の乳化量に示されるように、本発明のインキは、添加するポリエーテルポリオールの種類及び量を適切に選択、調節することにより、広範囲に乳化量を調節することが可能である。故に商業オフセット印刷用、新聞印刷用などインキのタイプに応じて、また印刷スピード等の印刷条件に応じて、インキの乳化量を最適なものとすることができる。
【産業上の利用可能性】
【００３１】
湿し水を用いる平版オフセット印刷においては、インキの乳化適性（その一つとして乳化量が挙げられる）は印刷のしやすさや印刷物の品質に大きく影響する。故に乳化適性を印刷速度や用紙などに合わせて最適に調整することが望まれる。本発明のインキは広範囲に乳化量を調節することが可能であり、インキの乳化量を最適なものとすることができる。